(57)【要約】      （修正有）【課題】設備全体をコンパクト化させることができると共に、外部との物品の受け渡しをスムーズに行うことができる。【解決手段】上下方向に複数の保管部２を備えた保管棚１と、保管棚１が前後に所定間隔を隔てて複数横並び状態で配備され、各保管棚１の前後に、保管棚１と略同じ左右幅の昇降台１０が昇降駆動手段１１により昇降自在に備えられ、この各昇降台１０には、各保管部２に対して物品を出し入れする物品移載装置１２が備えられ、保管棚外部の前方側に位置する物品搬出入部４２に、各物品移載装置１２に対して物品の受け渡しをする搬送台車２０、２１が走行可能に備えられている物品保管設備であって、各保管棚の下方に渡って、複数の搬送台車２０，２１を夫々独立して走行可能、及び、各搬送台車をすれ違い可能とし、各物品移載装置１２は、選択的にいずれかの搬送台車２０，２１との受け渡しが可能とする。【選択図】図４
2011219186.tif 000002
【特許請求の範囲】
【請求項１】
上下方向に複数の保管部を備えた保管棚と、保管棚が前後に所定間隔を隔てて複数横並び状態で配備され、各保管棚の前後に、保管棚と略同じ左右幅の昇降台が昇降駆動手段により昇降自在に備えられ、この各昇降台には、各保管部に対して物品を出し入れする物品移載装置が備えられ、保管棚外部の前方側に位置する物品搬出入部に、各物品移載装置に対して物品の受け渡しをする搬送台車が走行可能に複数台備えられている物品保管設備であって、各保管棚の下方に渡って、複数の搬送台車を夫々独立して走行可能、及び、各搬送台車をすれ違い可能とし、各物品移載装置は、選択的にいずれかの搬送台車との受け渡しを可能とする物品保管設備。
【請求項２】
搬送台車が物品搬出入部と物品移載装置の間を走行中には、その間に位置する他の物品移載装置は保管棚の昇降高さ位置で待機する請求項１に記載の物品保管設備。
【請求項３】
搬送台車が、上段空間を走行する第一の搬送台車と、第１の搬送台車よりも低い位置の下段空間を走行する第二の搬送台車からなり、第１の搬送台車と第２の搬送台車それぞれ同一面上に渡って走行し、第一の搬送台車が物品搬出入部と物品移載装置の間を走行中に、その間に位置する物品移載装置は干渉しない前記下段空間
に待機可能とする請求項１に記載の物品保管設備。
【請求項４】
後方側に位置する物品移載装置は前記下段空間で待機中に、第二搬送台車との間で物品の受け渡しを可能とする請求項３に記載の物品保管設備。
【請求項５】
外部操作盤によって物品保管設備の外部から操作する電源投入時の各昇降台の原点復帰位置を保管棚の高さ位置とする請求項１に記載の物品保管設備。
【発明の詳細な説明】
【技術分野】
【０００１】
本発明は、昇降台を利用して物品を保管する物品保管設備に関する。
【背景技術】
【０００２】
現在までに、物品搬送装置を利用して物品を自動的に保管する物品保管設備が提案されている。  
【０００３】
例えば、特許文献１に記載の自動倉庫用スタッカークレーンは、門型の形状をしたクレーンを利用して外部のローラーコンベアーとの間で物品の受け渡しができるように構成されている。
【先行技術文献】
【特許文献】
【０００４】
【特許文献１】実開昭６３-１６９５０４号公報
【発明の概要】
【発明が解決しようとする課題】
【０００５】
しかしながら、この従来の自動倉庫用スタッカークレーンでは、受け渡しの際にクレーンの昇降ビームはラックの上方位置まで上昇してラックを回避したうえで、所定のラック位置へ走行して到達する必要があった。そのため、ラックの上方に回避空間を必要とした。また、門型形状のクレーンを走行させて走行床面の下方のコンベヤまで物品を降ろすためのストロークが必要なため、強固な設備となり、設備全体が大型化する必要があった。さらには、物品を保管位置から外部のコンベヤまで入出庫するには、その都度、クレーンを走行させるため、受け渡しに時間がかかった。  
【０００６】
本発明は、設備全体をコンパクト化させることができると共に、外部との物品の受け渡しをスムーズに行うことができる物品保管設備を提供することを目的とする。
【課題を解決するための手段】
【０００７】
本発明は、上下方向に複数の保管部を備えた保管棚と、保管棚が前後に所定間隔を隔てて複数横並び状態で配備され、各保管棚の前後に、保管棚と略同じ左右幅の昇降台が昇降駆動手段により昇降自在に備えられ、この各昇降台には、各保管部に対して物品を出し入れする物品移載装置が備えられ、保管棚外部の前方側に位置する物品搬出入部に、各物品移載装置に対して物品の受け渡しをする搬送台車が走行可能に複数台備えられている物品保管設備であって、各保管棚の下方に渡って、複数の搬送台車を夫々独立して走行可能、及び、各搬送台車をすれ違い可能とし、各物品移載装置は、選択的にいずれかの搬送台車との受け渡しを可能とすることを特徴としている。従って、複数の昇降台を配置することで設備全体をコンパクト化させることができると共に、複数の搬送台車によって外部との物品の受け渡しをスムーズに行うことができる。  
【０００８】
また、本発明は、搬送台車が物品搬出入部と物品移載装置の間を走行中には、その間に位置する他の物品移載装置は保管棚の昇降高さ位置で待機することを特徴としている。従って、物品移載装置と搬送台車との間で物品の受け渡しを、可及的に円滑に行うことができる。  
【０００９】
また、本発明は、搬送台車が、上段空間を走行する第一の搬送台車と、第一の搬送台車よりも低い位置の下段空間を走行する第二の搬送台車からなり、第一の搬送台車と第二の搬送台車それぞれ同一面上に渡って走行し、第一の搬送台車が物品搬出入部と物品移載装置の間を走行中に、その間に位置する物品移載装置は干渉しない前記下段空間に待機可能とすることを特徴としている。従って、物品の受け渡しを同時に行う際に搬送作業を効率良く行うことができる。  
【００１０】
また、本発明は、後方側に位置する物品移載装置は前記下段空間で待機中に、第二の搬送台車との間で物品の受け渡しを可能とすることを特徴としている。従って、さらに、受け渡し作業を能率良くできる  
【００１１】
また、本発明は、外部操作による起動時の各昇降台の原点復帰位置を保管棚の高さ位置とすることを特徴としている。従って、設備全体の搬送効率を向上させることができる。
【発明の効果】
【００１２】
第１発明の特徴構成によれば、複数の昇降台を配置することで設備全体をコンパクト化させることができると共に、複数の搬送台車によって外部との物品の受け渡しをスムーズに行うことができる。  第２発明の特徴構成によれば、物品移載装置と搬送台車との間で物品の受け渡しを、可及的に円滑に行うことができる。第３発明の特徴構成によれば、物品の受け渡しを同時に行う際に搬送作業を効率良く行うことができる。第４発明の特徴構成によれば、さらに、受け渡し作業を能率良くできる。第５発明の特徴構成によれば、設備全体の搬送効率を向上させることができる。
【図面の簡単な説明】
【００１３】
【図１】本実施形態の物品保管設備の概略平面図である。
【図２】本実施形態の物品保管設備の側面図である。
【図３】本実施形態の物品保管設備の断面図である。
【図４】本実施形態の物品保管設備の拡大断面図である。
【発明を実施するための形態】
【００１４】
以下、実施例を図１〜図４に基づいて説明する。物品Ａとして長尺物、具体的には工場などで利用される棒状材や鋼板、あるいは木材などであり、物品は保管棚１に備えられた複数の保管部２のうちのいずれかの保管部２に保管させることができると共に、所定の保管棚１に保管される物品を取り出すことができるようにした本発明に係る物品保管設備が示されている。  
【００１５】
この物品保管設備には、上下方向に複数の保管部２が設けられた保管棚１が前後方向に一対設けられ、しかも所定間隔を隔てて対となる保管棚同士が前後方向に複数（７個）に渡って横並び状態で、しかも複数が独立に備えられている。各保管棚１は、保管部２の下方側の一部を利用して架台フレーム３の上に設けられている。架台フレーム３上には左右方向に複数（７本）の支柱４が立設され、支柱４の上下方向には所定間隔毎に複数の前後フレーム５が設けられ、前後フレーム５に支柱４を挟むように前後にそれぞれ物品Ａが保管される。保管棚１が前後方向に対向配置された前後中間部に、それら保管棚１と同じ左右幅又は略同じ左右幅の昇降台１０が左右２つの昇降駆動手段１１としての昇降モータによって昇降自在に備えられている。  
【００１６】
各昇降モータ１１は、床から昇降案内体１８に支持されて、各保管部２よりも上方の天井位置に配置されており、左右２つの各昇降モータ１１，１１で昇降ワイヤ１４と同期をとりながら正逆回転して昇降台１０を昇降操作する。昇降案内体１８は四角断面の昇降案内ガイドレール１５からなり、昇降台１０の両端にある案内部１３の前後に上下一対の転動ローラ１６が支持ブラケット１７を介して昇降案内ガイドレール１５と回転自在に支持されることで昇降自在に案内されている。  
【００１７】
昇降台１０は、保管棚１の上下高さのほぼ全域、および架台フレーム３下の第一の搬送台車２０との受け渡し位置、更にその下の第二の搬送台車２１との受け渡し位置にわたって昇降操作自在に備えられ、さらに、昇降台１０には、保管棚１に備えられた複数の保管部２のうちのいずれかの保管部２に保管させることができると共に、所定の保管棚１に保管される物品を取り出すことができるようにした物品移載装置１２としてのフォークが設けられている。物品移載装置１２は、第一の搬送台車２０と第二の搬送台車２１を選択的にいずれかと受け渡しが可能となっている。  
【００１８】
各保管棚１の前方側に位置する外部作業位置と、物品を出し入れする各昇降台１０の物品移載装置１２との位置との間には、同一面上の床面に渡って連続する搬送レール３０，３１（第一レール３０、第二レール３１）が複数設けられている。  
【００１９】
各保管棚１の前方側に位置する外部作業位置には、物品を出し入れするための物品搬出入部４２が配置され、物品搬出入部４２には、作業者が物品の搬出入作業を行うため搬送台車２０，２１が上下に夫々独立して設けられ、搬送レール３０，３１を走行する。各搬送台車２０，２１は、搬送レール３０，３１を走行するための複数の車輪３２と、物品を受けるための受けフレーム３３から構成されている。そのうちの上方の搬送台車２０（第一の搬送台車）は、物品搬出入部４２の位置と各保管棚１の下方に対して物品を出し入れする各昇降台１０の物品移載装置１２との位置の間の上段空間４０を走行可能にし、架台フレーム３近郊の内側に左右２つの第一レール３０，３０上の走行路を走行する。  
【００２０】
さらに、上方の搬送台車２０（第一の搬送台車）の走行する上段空間４０の下段位置には、下段空間４１を走行する下方の搬送台車２１（第二の搬送台車）が設けられ、上段空間４０を走行する第一の搬送台車２０よりも低い位置の下段空間４１を物品Ａを受けフレームに載置した状態で走行可能にし、第一レール３０間の内側に左右に６つの第二レール３１上の走行路を走行することで各搬送台車２０，２１同士がお互いのすれ違いを可能としている。  
【００２１】
各搬送台車２０，２１はいずれも、保管棚１に備えられた複数の保管部２のうちのいずれかの保管部２にある物品を物品移載装置１２を介して受け取り、物品を保持した状態で同一面（同一床面）上に渡って走行し、物品搬出入部４２へ走行することで物品を作業者の元へ搬送する。  
【００２２】
上記構成の昇降台１０により物品を出庫する移載作動について説明する。外部操作盤によって物品保管設備の外部から操作する昇降台１０の電源投入（起動）時の位置は、昇降台１０の原点復帰位置であって、しかも保管棚１の上下高さ位置であり、具体的には、そのうちの保管部２最下段の移載位置であり、昇降モータ１１で昇降台１０を目的の保管部２まで上昇或は下降させて、物品移載装置１２で所定の保管部２にある物品をフォーク１２で掬って取り出し、昇降台１０上に物品を移載支持する。その後、昇降台１０は架台フレーム３下の第一の搬送台車２０との受け渡し位置である上段位置まで下降する。この昇降台１０による保管部２からの物品の取り出し動作と並行して、第一の搬送台車２０を所定の昇降台１０と受け渡し可能な位置の手前まで走行させて停止させる。これら昇降台１０による保管部２からの物品の取り出し動作と第一の搬送台車２０を受け渡し可能な位置へ停止させる動作が共に終了したタイミングで、物品が昇降台１０の物品移載装置位置から第一の搬送台車２０へ受け渡しされる。そして、第一の搬送台車２０を物品搬出入部４２へ走行することで出庫の移載作動が終了する。  
【００２３】
なお、第一の搬送台車２０が所定の昇降台１０と受け渡し可能な位置の手前までの間に、他の昇降台１０の停止位置が原因で第一の搬送台車２０の走行を塞ぐことが予め予想される場合には、他の昇降台１０及びその物品移載装置１２は保管棚１の高さ位置まで上昇して待機し、第一の搬送台車２０の通過を待つことで第一の搬送台車２０の走行を可能とする。同様に、第二の搬送台車２１についても所定の昇降台１０と受け渡し可能な位置の手前までの間に、他の昇降台１０の停止位置が原因で第二の搬送台車２１の走行を塞ぐことが予め予想される場合には、他の昇降台１０及びその物品移載装置１２は保管棚１の高さ位置、あるいは上段位置まで上昇して待機し、第二の搬送台車２１の通過を待つことで第二の搬送台車２１の走行を可能とする。  なお、出庫データの指令があった際に、第一の搬送台車２０と第二の搬送台車２１のいずれを選択するかは、任意に選択できる。  
【００２４】
また、同時に２つの物品を出庫する移載動作について説明する。２つの出庫オーダに対して、第一の搬送台車２０と第二の搬送台車２１の
両搬送台車２０，２１を走行させる。まず初めに、手前側から後方側へ７台目奥の保管棚１の物品に対して出庫オーダの指令があり、第一の搬送台車２０を引き当てた。その次に、手前側から後方側へ４台目の奥の保管棚１の物品に対して出庫オーダの指令があり、第二の搬送台車２１を引き当てた。
【００２５】
初め（１つ目）のオーダに対して、手前側から後方側へ７台目の奥の保管棚１に対応する昇降モータ１１で昇降台１０を目的の保管部２まで上昇させて、物品移載装置１２で所定の保管部２にある物品をフォーク１２で掬って取り出し、昇降台１０上に物品を移載支持する。その後、昇降台１０は架台フレーム３下の第一の搬送台車２０との受け渡し位置まで下降する。この昇降台１０による保管部２からの物品の取り出し動作と並行して、第一の搬送台車２０を所定の昇降台１０と受け渡し可能な位置の手前まで走行させて停止させる。これら昇降台１０による保管部２からの物品の取り出し動作と第一の搬送台車２０を受け渡し可能な位置へ停止させる動作が共に終了したタイミングで、物品が昇降台１０の物品移載装置位置から第一の搬送台車２０へ受け渡しされる。そして、第一の搬送台車２０を物品搬出入部４２へ走行する。
【００２６】
その間、その次（２つ目）のオーダに対応して、手前側から後方側へ４台目の奥の保管棚１に対応する昇降台１０は、第一の搬送台車２０が通り過ぎるまで保管部最下段の移載位置で待機し、第一の搬送台車２０が通過することで手前側から後方側へ４台目の奥の保管棚１に対応する昇降台１０は第二の搬送台車２１との受け渡し位置である下段空間４１まで下降する。なお、第二の搬送台車２１は、第一の搬送台車２０とは関係なく独立して搬送可能であるため、手前側から後方側へ４台目の奥の保管棚１に対応する昇降台１０の物品移載装置１２と受け渡し可能な位置まで走行させて停止させる。これら昇降台１０による保管部２からの物品の取り出し動作と第二の搬送台車２１を受け渡し可能な位置へ停止させる動作が共に終了したタイミングで、物品が昇降台１０の物品移載装置位置から第二の搬送台車２１へ受け渡しされる。そして、第二の搬送台車２１を物品搬出入部４２へ走行する。  
【００２７】
上記構成の昇降台１０により物品を入庫する移載作動について説明する。第二の搬送台車２１が物品搬出入部４２になければ、外部操作により第二の搬送台車２１を物品搬出入部４２へ走行させて作業者の元へ搬送する。入庫すべき物品を第二の搬送台車２１へ載置すると、第二の搬送台車２１を所定の昇降台１０と受け渡し可能な位置の手前まで走行させて停止させる。出庫すべく保管棚１に対応した昇降台１０を昇降モータ１１で下段空間４１まで下降させる。この第二の搬送台車２１を所定の昇降台１０と受け渡し可能な位置へ停止させる動作と並行して出庫すべく保管棚１に対応した昇降台１０を昇降モータ１１で下段空間４１まで下降させる動作が共に終了したタイミングで、物品が第二の搬送台車２１から昇降台１０の物品移載装置１２へ受け渡しされる。そして、昇降台１０を目的の保管部２まで上昇し、物品移載装置１２で所定の保管部２へ物品を受け渡すことで入庫の移載作動が終了する。  
【００２８】
また、同時に２つの物品を出庫する移載動作について説明する。２つの入庫オーダに対して、第一の搬送台車２０と第二の搬送台車２１の両搬送台車２０，２１を走行させる。まず初めに、手前側から後方側へ７台目の奥の保管棚１の物品に対して入庫オーダの指令があり、第一の搬送台車２０を引き当てた。その次に、手前側から後方側へ４台目の奥の保管棚１の物品に対して入庫オーダの指令があり、第二の搬送台車２１を引き当てた。第一の搬送台車２０と第二の搬送台車２１がそれぞれ物品搬出入部４２になければ、外部操作により各搬送台車２０、２１を物品搬出入部４２へ走行させて作業者の元へ搬送する。入庫すべき物品を第一の搬送台車２０と第二の搬送台車２１へ載置する  
【００２９】
初め（１つ目）のオーダに対して、物品を支持した第一の搬送台車２０を手前側から後方側へ７台目の奥の保管棚１に対応する所定の昇降台１０と受け渡し可能な位置の手前まで走行させて停止させる。入庫すべく保管棚１に対応した昇降台１０を昇降モータ１１で上段空間４０まで下降させる。この第一の搬送台車２０を手前側から後方側へ７台目の奥の保管棚１に対応する所定の昇降台１０と受け渡し可能な位置の手前まで走行させて停止させる動作と入庫すべく保管棚１に対応した昇降台１０を昇降モータ１１で上段空間４０まで下降させる動作が共に終了したタイミングで、物品が第一の搬送台車２０から昇降台１０の物品移載装置１２へ受け渡しされる。そして、昇降台１０を目的の保管部２まで上昇し、物品移載装置１２で所定の保管部２へ物品を受け渡すことで入庫の移載作動が終了する。  
【００３０】
その間、その次（２つ目）のオーダに対応して、手前側から後方側へ４台目の奥の保管棚１に対応する昇降台１０は、第一の搬送台車２０が通り過ぎるまで保管部最下段の移載位置で待機し、第一の搬送台車２０が通過することで手前側から後方側へ４台目の奥の保管棚１に対応する昇降台１０は第二の搬送台車２１との受け渡し位置である下段空間４１まで下降する。なお、第二の搬送台車２１は、第一の搬送台車２０とは関係なく独立して搬送可能であるため、手前側から後方側へ４台目の奥の保管棚１に対応する昇降台１０の物品移載装置１２と受け渡し可能な位置まで走行させて停止させることができる。そして、この第二の搬送台車２１を手前側から後方側へ４台目の奥の保管棚１に対応する所定の昇降台１０と受け渡し可能な位置の手前まで走行させて停止させる動作と入庫すべく保管棚１に対応した昇降台１０を昇降モータ１１で下段空間４１まで下降させる動作が共に終了したタイミングで、物品が第一の搬送台車２０から昇降台１０の物品移載装置１２へ受け渡しされる。そして、昇降台１０を目的の保管部２まで上昇し、物品移載装置１２で所定の保管部２へ物品を受け渡すことで入庫の移載作動が終了する。  
【００３１】
次に出庫と入庫が同時にオーダされた場合について説明する。すなわち、１つの入庫オーダと１つの出庫オーダがほぼ同時に引き当てられた時であって、第一の搬送台車２０と第二の搬送台車２１の両搬送台車２０，２１を走行させる。まず初めに、手前側から後方側へ７台目の奥の保管棚１の物品に対して入庫オーダの指令があり、第一の搬送台車２０を引き当てた。その次に、手前側から後方側へ６台目の奥の保管棚１の物品に対して出庫オーダの指令があり、第二の搬送台車２１を引き当てた。
【００３２】
初め（１つ目）のオーダに対して、第一の搬送台車２０が物品搬出入部４２になければ、外部操作盤によって物品保管設備の外部から操作により第一の搬送台車２０を物品搬出入部４２へ走行させて作業者の元へ搬送する。入庫すべき物品を第一の搬送台車２０へ載置すると、第一の搬送台車２０を手前側から後方側へ７台目の奥の昇降台１０と受け渡し可能な位置の手前まで走行させて停止させる。手前側から後方側へ７台目の奥の保管棚１に対応する所定の昇降台１０を昇降モータ１１で上段空間４０まで下降させる。この保管棚１に対応する所定の昇降台１０を昇降モータ１１で上段空間４０まで下降させる動作と並行して、物品を支持した第一の搬送台車２０を手前側から後方側へ７台目の奥の保管棚１に対応する所定の昇降台１０と受け渡し可能な位置の手前まで走行させる。手前側から後方側へ７台目の奥の保管棚１に対応する所定の昇降台１０を昇降モータ１１で上段空間４０まで下降させる動作と、物品を支持した第一の搬送台車２０を手前側から後方側へ７台目の奥の保管棚１に対応する所定の昇降台１０と受け渡し可能な位置の手前まで走行させる動作が共に終了したタイミングで、物品が第一の搬送台車２０から昇降台１０の物品移載装置１２へ受け渡しされる。そして、昇降台１０を目的の保管部２まで上昇し、物品移載装置１２で所定の保管部２へ物品を受け渡すことで入庫の移載作動が終了する。
【００３３】
しかしこの間、第一の搬送台車２０の走行する距離が比較的に長いために時間を要する。そのため、手前側から後方側へ７台目の奥の保管棚１に対応する所定の昇降台１０を昇降モータ１１で上段空間４０まで下降させることとほぼ同時に、手前側から後方側へ６台目の奥の保管棚１の物品に対して次の（２つ目の）出庫オーダの指令に対応して、昇降モータ１１で昇降台１０を目的の保管部２まで昇降させて、物品移載装置１２で所定の保管部２にある物品をフォーク１２で掬って取り出し、昇降台１０上に物品を移載支持する。その後、昇降台１０は第二の搬送台車２１との受け渡し位置である下段位置まで一気に下降する。第二の搬送台車２１を手前側から後方側へ６台目の奥の昇降台１０と受け渡し可能な位置の手前まで走行させて停止させる。手前側から後方側へ６台目の奥の保管棚１の物品に対して出庫オーダの指令に対応して、所定の昇降台１０は第二の搬送台車２１との受け渡し位置である下段位置まで下降する動作と第二の搬送台車２１が物品を出庫する昇降台１０の物品移載装置１２と受け渡し可能な位置まで走行して停止する動作が共に終了するタイミングで出庫の移載作動が終了する。このように、第一の搬送台車２０が物品搬出入部４２と物品移載装置１２の間を走行中に、その間に位置する昇降台１０の物品移載装置１２は、干渉しない前記下段空間４１にまで下降して待機可能とすることができる。  
【００３４】
各搬送台車２０，２１を入庫用と出庫用として共に利用しているが、第一の搬送台車２０を出庫専用に利用し、第二の搬送台車２１を入庫専用に利用しても良い。  物品として長尺物に限定することなく、例えば、一般の平パレットを対象とすることも可能である。  物品移載装置１２としてフォーク式を採用したが、これに限らず、フック式やクランプ式であっても良い。  上記実施例では、架台フレーム３上に保管棚１を形成しているが、床にピットを掘って搬送台車２０，２１をピット内に配置して、保管棚１を床上に配置しても良い。
【産業上の利用可能性】
【００３５】
本発明は、上下方向に保管部を複数備えた保管棚と、その保管棚における各保管部に物品を自動的に保管する昇降台とが設けられている物品保管設備に好適であるが、自動車用の立体駐車場や半導体ウエハ用のクリーンルームで利用することもできる。
【符号の説明】
【００３６】
１  保管棚２  保管部３  架台フレーム４  支柱５  前後フレーム１０  昇降台１１  昇降駆動手段１２  物品移載装置１３  案内部１４  昇降ワイヤ１５  昇降案内ガイドレール１６  転動ローラ１７  支持ブラケット１８  昇降案内体２０  第一の搬送台車２１  第二の搬送台車３０、３１  搬送レール３０  第一レール３１  第二レール３２  車輪３３  受けフレーム４０  上段空間４１  下段空間４２  物品搬出入部
【図１】
2011219186.tif 000003
【図２】
2011219186.tif 000004
【図３】
2011219186.tif 000005
【図４】
2011219186.tif 000006